(57)【要約】  効率的なＬＥＤインテリジェント光源であって、パッケージ基板（１）とパッケージ基板に設けられるチップユニット（２）を含み、前記チップユニット（２）は少なくとも一つのベアチップユニット（２１）とベアチップユニット（２１）の表面に一層の第１の蛍光層（ａ）を被覆してなる少なくとも一つのパッケージ化されたチップユニット（２２）に分けられ、前記ベアチップユニット（２１）とパッケージ化されたチップユニット（２２）の色温度が異なり、更に上記ベアチップユニット（２１）とパッケージ化されたチップユニット（２２）を被覆する第２の蛍光層（ｂ）が設けられる。効率的なＬＥＤインテリジェント光源は光の色の一致性が高く、光が均一であり、混色した後に光の色の連続性が強くなり、混合光の仕切りと層化現象を解決し、一体にパッケージングされるＬＥＤ光源の気密性が高く、信頼度が高く、光の色の品質が高く、且つ製造しやすい。【選択図】図４
2018535552.tif 000002
【特許請求の範囲】
【請求項１】
パッケージ基板とパッケージ基板に設けられるチップユニットを含み、前記チップユニットは少なくとも一つのベアチップユニットとベアチップユニットの表面に一層の第１の蛍光層を被覆してなる少なくとも一つのパッケージ化されたチップユニットに分けられ、前記ベアチップユニットとパッケージ化されたチップユニットの色温度が異なり、更に上記ベアチップユニットとパッケージ化されたチップユニットを被覆する第２の蛍光層が設けられることを特徴とする効率的なＬＥＤインテリジェント光源。
【請求項２】
前記パッケージ化されたチップユニットの色温度が一つであり、前記ベアチップユニットとパッケージ化されたチップユニットが均一に交錯して分布することを特徴とする請求項１に記載の効率的なＬＥＤインテリジェント光源。
【請求項３】
前記パッケージ化されたチップユニットの色温度は少なくとも二つであり、且つ異なる色温度のパッケージ化されたチップユニットとベアチップユニットが均一に交錯して分布することを特徴とする請求項１に記載の効率的なＬＥＤインテリジェント光源。
【請求項４】
前記ベアチップユニットは少なくとも一つのチップからなることを特徴とする請求項１から３のいずれか一項に記載の効率的なＬＥＤインテリジェント光源。
【請求項５】
前記第１の蛍光層は遷移蛍光パウダーであることを特徴とする請求項１から３のいずれか一項に記載の効率的なＬＥＤインテリジェント光源。
【請求項６】
前記第２の蛍光層はパッケージングのための蛍光接着剤であることを特徴とする請求項１から３のいずれか一項に記載の効率的なＬＥＤインテリジェント光源。
【発明の詳細な説明】
【技術分野】
【０００１】
本発明は高出力ＬＥＤ装置の技術分野に関し，特に効率的なＬＥＤインテリジェント光源に関するものである。
【背景技術】
【０００２】
従来の色温度調整可能な高出力ＬＥＤ光源は一つの色温度を基板の片側に作製し、もう一つの色温度を基板の他方の側に作製し（図１の示す通り）、又は円形に作製し内周に一つの色温度を作製し、外周にもう一つの色温度を作製し、中間が建築物の擁壁で二つの異なる色温度を仕切る（図２の示す通り）という方式を採用し、この作製方式には一つの擁壁を単独で建てる工程が必要であり、それにより後続の異なる色温度を区別する仕切り作業を完成させ、単一の仕切りエリアに所定の色温度を充填し、出射面を充填する一致性が保持しにくく、エリアに間隔があるため、後続でレンズ又は放物面反射鏡を取り付けて色温度の異なる光を混合して調整する時に光路の作製が困難であり、混合が不均一で、カラーキャスト、スポットが不均一な確率が高く、光の色の連続性が低い。
【０００３】
また分離型ＬＥＤ発光ダイオードを回路基板に実装する方式を利用し、該方式は高電力発光ダイオードの単独製造を採用する場合に、色の混合が不均一であり、眩光がより強い；複数の寸法の小さい発光ダイオードを組み立てる場合、実装の平坦度が保証しにくく、出射方向が不一致であり、光の色の連続性も低くなり、分離型ＬＥＤ発光ダイオードの実装という方式の利用が原因で一層の回路基板が増え、それと共に光源の熱抵抗が増え、信頼度及び光源の耐用年数が低下する。
【発明の概要】
【発明が解決しようとする課題】
【０００４】
本発明の目的は効率的なＬＥＤインテリジェント光源を提供することであり、光の色の一致性が高く、光が均一であり、混色した後に光の色の連続性が強くなり、混合光の仕切りと層化現象を解決し、一体にパッケージングされるＬＥＤ光源の気密性が高く、信頼度が高く、光の色の品質が高く、且つ製造しやすい。
【課題を解決するための手段】
【０００５】
上記目的を達成するため、本発明は効率的なＬＥＤインテリジェント光源を提供し、パッケージ基板とパッケージ基板に設けられるチップユニットを含み、前記チップユニットは少なくとも一つのベアチップユニットとベアチップユニットの表面に一層の第１の蛍光層を被覆してなる少なくとも一つのパッケージ化されたチップユニットに分けられ、前記ベアチップユニットとパッケージ化されたチップユニットの色温度が異なり、更に上記ベアチップユニットとパッケージ化されたチップユニットを被覆する第２の蛍光層が設けられる。
【０００６】
本発明の更なる改良案として、前記パッケージ化されたチップユニットの色温度が一つであり、前記ベアチップユニットとパッケージ化されたチップユニットが均一に交錯して分布する。
【０００７】
本発明の更なる改良案として、前記パッケージ化されたチップユニットの色温度は少なくとも二つであり、且つ異なる色温度のパッケージ化されたチップユニットとベアチップユニットが均一に交錯して分布する。
【０００８】
本発明の更なる改良案として、前記ベアチップユニットは少なくとも一つの青色チップからなる。
【０００９】
本発明の更なる改良案として、前記第１の蛍光層は遷移蛍光パウダーである。
【００１０】
本発明の更なる改良案として、前記第２の蛍光層はパッケージングのための蛍光接着剤である。
【発明の効果】
【００１１】
従来技術に比べ、本発明の効率的なＬＥＤインテリジェント光源の有益な効果は以下のとおりである：
【００１２】
（１）第１の蛍光層を一回被覆してなるパッケージ化されたチップユニットと初期の色温度を持つベアチップユニットを第２の蛍光層により一体にパッケージングして成形するＬＥＤ光源であり、この光源は全体的に同一平面に出射し、光の色の一致性が高く、光が均一であり、混色した後に光の色の連続性が強くなり、それにより混合光の仕切りと層化現象が解決でき、且つ一体にパッケージングされるＬＥＤ光源の気密性が高く、信頼度が高く、光の色の品質が高く、且つ製造しやすく、リーン生産式の大量生産に役立ち、室内、室外の様々なインテリジェント照明器具において該効率的なＬＥＤインテリジェント光源の広範な応用を可能にし、それに複数の異なるＬＥＤ光源を一緒に実装する時にグラジエントの効果を果たすことができる。
【００１３】
（２）ベアチップユニットとパッケージ化されたチップユニットが均一に交錯して分布し、それにより光の色の均一度が一応実現できる。
【００１４】
以下の説明と図面により、本発明がより明確になり、これらの図面は、本発明の実施例を説明するために用いられる。
【図面の簡単な説明】
【００１５】
【図１】図１は従来技術における高出力ＬＥＤ光源の一つの形態の概要図である。
【図２】図２は従来技術における高出力ＬＥＤ光源のもう一つの形態の概要図である。
【図３】図３は本発明の効率的なＬＥＤインテリジェント光源の上面図である。
【図４】図４は本発明の効率的なＬＥＤインテリジェント光源の正面図である。
【発明を実施するための形態】
【００１６】
これから図面を参照しながら本発明の実施例を説明し、図面において類似の部品符号が類似の部品を代表する。
【００１７】
図３〜４に示すように、前記効率的なＬＥＤインテリジェント光源はパッケージ基板１とパッケージ基板１に設けられるチップユニット２を含む。具体的に言えば、前記チップユニット２は複数のベアチップユニット２１とベアチップユニット２１の表面に一層の第１の蛍光層ａを被覆してなる複数のパッケージ化されたチップユニット２２に分けられ、各前記ベアチップユニット２１は少なくとも一つのチップからなり、該チップは一般的に青色チップを採用し、紫色チップを採用してもよい。より具体的に言えば、各ベアチップユニット２１の色温度が同じであり、各パッケージ化されたチップユニット２２の色温度が同じであり、それにパッケージ化されたチップユニット２２は第１の蛍光層ａが原因でベアチップユニット２１と異なる色温度を持ち、複数のベアチップユニット２１の表面及び複数のパッケージ化されたチップユニット２２の表面に一層の第２の蛍光層ｂが全体的に被覆され、それにより一つの色温度を持つベアチップユニット２１は二層目の蛍光層ｂの被覆により白色光の色温度を取得することができ、もう一つの色温度を持つパッケージ化されたチップユニット２２は二層目の蛍光層ｂの被覆によりもう一つの白色光の色温度を取得することができ、要求されるそれぞれの需求を満たすように色温度を一回で作製し、それにより光源のインテリジェントな調整を実現する。前記複数のベアチップユニット２１と複数のパッケージ化されたチップユニット２２は数量が同じであってもよく、数量が異なるけれども均一に交錯して分布してもよく、それにより光の色の均一度が一応実現できる。第１の蛍光層ａを一回で被覆してなるパッケージ化されたチップユニット２２と初期の色温度を持つベアチップユニット２１を第２の蛍光層ｂにより一体にパッケージングして成形するＬＥＤ光源であり、この光源は全体的に同一平面に出射し、光の色の一致性が高く、光が均一であり、混色した後に光の色の連続性が強くなり、それにより混合光の仕切りと層化現象が解決でき、且つ一体にパッケージングされるＬＥＤ光源の気密性が高く、信頼度が高く、光の色の品質が高く、且つ製造しやすく、リーン生産式の大量生産に役立ち、室内、室外の様々なインテリジェント照明器具において該効率的なＬＥＤインテリジェント光源の広範な応用を可能にする。より具体的に言えば、前記第１の蛍光層ａは遷移蛍光パウダーであり、前記第２の蛍光層ｂはパッケージングのための蛍光接着剤であり、パッケージングの目的を達成するために用いられる。より具体的に言えば、パッケージ化されたチップユニット２２とベアチップユニット２１を単独で制御して点灯することができ、即ち点灯する時にパッケージ化されたチップユニット２２又はベアチップユニット２１のみを点灯することができ、それにより異なる需要を満たすという目的を達成する。
【００１８】
他の実施例において、前記チップユニット２を一つのベアチップユニット２１と一つのベアチップユニット２１の表面に一層の第１の蛍光層ａを被覆してなるパッケージ化されたチップユニット２２だけに分けてもよい。
【００１９】
他の実施例において、前記パッケージ化されたチップユニット２２は二つ又は二つ以上の色温度に分けられ、且つ異なる色温度のパッケージ化されたチップユニット２２とベアチップユニット２１が均一に交錯して分布する。異なる色温度のパッケージ化されたチップユニット２２の数量が同じであってもよく異なってもよく、且つ異なる色温度のパッケージ化されたチップユニット２２とベアチップユニット２１は数量が同じであってもよく異なってもよく、均一に交錯して分布すればよい。
【００２０】
以上は好適な実施例を参照しながら本発明を説明したが、本発明が上記実施例に限定されるものでなく、本発明の本質に基づく修正、同等の組み合わせを含むべきである。
【図１】
2018535552.tif 000003
【図２】
2018535552.tif 000004
【図３】
2018535552.tif 000005
【図４】
2018535552.tif 000006
【国際調査報告】
2018535552.tif 000007
2018535552.tif 000008
2018535552.tif 000009
2018535552.tif 000010
2018535552.tif 000011
2018535552.tif 000012